(57)【要約】      （修正有）【課題】既存のサッシ窓のガラス部分の最も適切な位置に防虫帯を容易に位置せしめて貼付することができる、窓ガラスと網戸の網、窓ガラス同士の隙間からの害虫の侵入を防ぐ防虫具を提供する。【解決手段】防虫帯９と基部８の接続部から少なくとも一方に、防虫帯の高さとほぼ同じ長さの幅に基部８の張り出しを設けることにより、網戸やガラス戸の框５に挟まらず視野を妨げることの少ない防虫帯９の、ガラス面４１、４２への容易な設置を可能とする。【選択図】図１１
0003203026.tif 000002
【実用新案登録請求の範囲】
【請求項１】
モヘア、ブラシなどの起毛素材もしくは板状かつ帯状の柔軟性のある素材からなる防虫帯を、サッシガラスに貼付する板状かつ帯状の基部に取り付けた防虫具で、防虫帯と基部の接合部から少なくとも一方に防虫具の高さとほぼ同等の幅の張り出しを設けた基部を有する防虫具。
【請求項２】
請求項１の防虫具と一体のサッシ窓外側戸先框および内側召合せ框。
【考案の詳細な説明】
【技術分野】
【０００１】
本考案は、半開の引き違いサッシ窓の隙間からの害虫の侵入を防ぐ防虫具に関する。
【背景技術】
【０００２】
一般的な引き違いサッシ窓（図１）において、外側戸先框２１、外側窓ガラス４１、外側召合せ框３１からなる屋外側に当たるガラス戸（以降、「外側ガラス戸」と呼ぶ。）を、図２のように半開状態にした場合、その開口部を、網戸框５、網６からなる網戸（以降、「網戸」と呼ぶ。）でふさぎ、かつ内側戸先框２２、内側窓ガラス４２、内側召合せ框３２からなる屋内側ガラス戸（以降、「内側ガラス戸」と呼ぶ。）を閉めておいたとしても、一点鎖線矢印の経路での害虫の室内侵入を防ぐことはできない。
【０００３】
この侵入経路を塞ぐための対策として複数の発明、考案がなされており、複雑な機構を持たずに既存のサッシ窓に後付け可能なものとしては、実登３１８５１１９および特開２００２−１８０７６９が挙げられ、前者は網戸およびサッシ窓の框に、後者はサッシ窓のガラス面にそれぞれ防虫具を設置することにより、害虫の侵入を防いでいる。
【先行技術文献】
【特許文献】
【０００４】
【特許文献１】実登３１８５１１９
【特許文献２】特開２００２−１８０７６９
【考案の概要】
【考案が解決しようとする課題】
【０００５】
しかし、特許文献１の図１に記載されている侵入防止部４０、４５は、開閉に伴って網戸とガラス戸が引き違う時に框同士の間に挟み込まれ、開閉に支障をきたすことになる。また、特許文献２の防虫具６０は、基本的には既存のモヘア防虫テープと同等であるが、これを同発明の図２、図４のように框に隣接して設置した場合、やはり框同士の間に挟み込まれることになる（本考案出願書類図面の図３、４、５参照。）。これを防ぐために框から離れたところに設置しても、適切な位置に設置されなければ害虫の侵入を許すことになり（本考案出願書類図面の図６、７参照。）、外見上も、窓ガラスを通した視界の妨げとなる。これに対し本考案は、防虫上も外見上も適切な位置に容易に防虫帯を設置することができる防虫具を提供することを目的とする。
【課題を解決するための手段】
【０００６】
上記目的を達成するために、本考案は、図９に示すように、基部８に防虫帯９を設けるが、その寸法は、図１０に示すように、防虫帯９の高さａと同等の幅ａ´を有する基部８の張り出し部を、基部８と防虫帯９の接合部から少なくとも一方に設ける。
【０００７】
防虫帯９の高さａと基部８の厚さの和は、標準的な既存のサッシ窓の外側窓ガラス４１と網６、内側窓ガラス４２と外側窓ガラス４１の、それぞれの間隔と同等とする。防虫帯９の材質は、図１１、図１２に示すように、框同士が引き違う時に框同士に挟まることなく曲がって倒れることができる、軟質プラスチック、ゴム、モヘア、ブラシなどの、柔軟かつ害虫の侵入を防げる素材とする。
【考案の効果】
【０００８】
本考案は上記の構造を持つので、本考案を、図８に示す通り、基部８の張り出し部を外側戸先框２１にあてがい、基部８を外側戸先框２１に接して外側窓ガラス４１の外側に貼付することにより、防虫帯９が框同士に挟まらずかつ外見上も視界の妨げとなりにくいもっとも適切な位置に容易に防虫帯９を位置せしめることができ、網戸と外側ガラス戸の間からの害虫の侵入を防ぐことができる。同様に、基部８の張り出し部を内側召合せ框３２にあてがい、基部８を内側召合せ框３２に接して内側窓ガラス４２の外側に貼付することにより、防虫帯９が框同士に挟まらずかつ外見上も視界の妨げとなりにくいもっとも適切な位置に容易に防虫帯９を位置せしめることができ、外側ガラス戸と内側ガラス戸の間からの害虫の侵入を防ぐことができる。
【図面の簡単な説明】
【０００９】
【図１】一般的な引き違いサッシ窓を上からみた模式図である。
【図２】図１のサッシ窓の外側ガラス戸を半開状態にし、その開口部を網戸で塞いだ場合の害虫の侵入経路を一点鎖線矢印で示した模式図である。
【図３】既存の防虫具７を戸先框２１および召合せ框３２に隣接して設置した状態を示した模式図である。
【図４】図３の状態から白抜き矢印方向に外側ガラス戸を開いていった場合に、網戸框５と戸先框２１の間に既存の防虫具７が挟まる状態を示した模式図である。
【図５】図４の状態から白抜き矢印方向に外側ガラス戸を閉めていった場合に、外側召合せ框３１と内側召合せ框３２の間に既存の防虫具７が挟まる状態を示した模式図である。
【図６】既存の防虫具７を外側戸先框２１から離れた位置に設置した場合に網戸と外側ガラス戸の間から害虫が侵入してくる経路を示した模式図である。
【図７】既存の防虫具７を内側召合せ框３２から離れた位置に設置した場合に内側ガラス戸と外側ガラス戸の間から害虫が侵入してくる経路を示した模式図である。
【図８】本考案実施例1を、外側戸先框２１に接して外側窓ガラス４１の外側に、また、内側召合せ框３２に接して内側窓ガラス４２の外側に設置し、図２に示す害虫の侵入経路を塞いだ状態を示した模式図である。
【図９】本考案実施例１を示す斜視図である。なお、図では省略されているが、本考案実施例の長さは窓ガラス４１、４２と框２１、３２の接線と同等である。
【図１０】本考案実施例１の断面図である。
【図１１】図８の状態から白抜き矢印方向に外側ガラス戸を開いていった場合に、防虫帯９が網戸框５と外側戸先框２１の間に挟まらないことを示した模式図である。
【図１２】図１１の状態から白抜き矢印方向に外側ガラス戸を閉じていった場合に、防虫帯９が内側召合せ框３２と外側戸先框３１の間に挟まらないことを示した模式図である。
【考案を実施するための形態】
【００１０】
本考案実施例１を図１０に沿って説明する。基部８は帯状にのびる板状の構造で、必要に応じ底面に粘着剤、接着剤、ミクロ吸盤などを配し、窓ガラスへの貼付を容易にする。防虫帯９の材質は、図１１、図１２に示すように框同士が引き違う時に框同士に挟まることなく曲がって倒れることができる、軟質プラスチック、ゴム、モヘア、ブラシなどの、柔軟かつ害虫の侵入を防ぐ素材とする。なお、防虫帯９は、描画の都合上断面鋭角三角形の形状を取っているが、実際の形状は選択する素材によって異なるものとする。防虫帯９の高さａと基部８の厚さの和は、標準的な既存のサッシ窓の外側窓ガラス４１と網６、内側窓ガラス４２と外側窓ガラス４１の、それぞれの間隔と同等とする。また、高さａとほぼ同等の幅ａ´を有する基部８の張り出し部を、基部８と防虫帯９の接合部から少なくとも一方に設ける。
【００１１】
本考案実施例２は、図８、図１１、図１２における実施例１を一体化した外側戸先框２１と内側召合せ框３２である。
【符号の説明】
【００１２】
１    たて枠
２１  外側戸先框
２２  内側戸先框
３１  外側召合せ框
３２  内側召合せ框
４１  外側窓ガラス
４２  内側窓ガラス
５    網戸框
６    網
７    既存の防虫具
８    基部
９    防虫帯
【図１】
0003203026.tif 000003
【図２】
0003203026.tif 000004
【図３】
0003203026.tif 000005
【図４】
0003203026.tif 000006
【図５】
0003203026.tif 000007
【図６】
0003203026.tif 000008
【図７】
0003203026.tif 000009
【図８】
0003203026.tif 000010
【図９】
0003203026.tif 000011
【図１０】
0003203026.tif 000012
【図１１】
0003203026.tif 000013
【図１２】
0003203026.tif 000014